(57)【要約】【課題】複数の挿管情報を容易に把握する挿管システムを提供する。【解決手段】被検者Ｓの生体情報を測定部１１で測定する測定装置２と、被検者Ｓの口から目的部位に向かって挿入される挿入部４の先端部近傍に撮像部７が配置される挿管装置１とを備え、挿管装置１と一体及び/または別体に配置され、撮像部７および測定部１１にそれぞれ接続されて、撮像部７で撮像された体内画像と共に測定部１１で測定された生体情報を表示する挿管用表示部５と、挿管用表示部５に表示された体内画像と生体情報を対応付けて記憶する全容記憶部２３とをさらに有する。【選択図】図２
2019170667.tif 000002
【特許請求の範囲】
【請求項１】
被検者の生体情報を測定部で測定する測定装置と、
被検者の口から目的部位に向かって挿入される挿入部の先端部近傍に撮像部が配置される挿管装置と
を備え、
前記挿管装置と一体及び/または別体に配置され、前記撮像部および前記測定部にそれぞれ接続されて、前記撮像部で撮像された体内画像と共に前記測定部で測定された前記生体情報を表示する挿管用表示部と、
前記挿管用表示部に表示された前記体内画像と前記生体情報を対応付けて記憶する全容記憶部とをさらに有することを特徴とする挿管システム。
【請求項２】
前記挿管用表示部は、前記生体情報を前記体内画像と合成した合成画像を表示し、
前記全容記憶部は、前記合成画像を記憶する請求項１に記載の挿管システム。
【請求項３】
前記撮像部で撮像された前記体内画像および前記測定部で測定された前記生体情報の少なくとも一方に基づいて、前記全容記憶部における前記体内画像と前記生体情報の記憶の開始を制御する記憶制御部をさらに有する請求項１または２に記載の挿管システム。
【請求項４】
前記挿管装置は、
予め設定された前記目的部位の特徴量に基づいて、前記撮像部で撮像された前記体内画像から前記目的部位を検出する検出部と、
前記検出部で検出された前記目的部位の位置と前記挿入部に沿って進退可能に配置される挿管用チューブの進行方向とに基づいて、前記挿管用チューブを前記目的部位に挿入可能か否かを判定する挿管判定部とを有し、
前記記憶制御部は、前記挿管判定部において前記挿管用チューブを前記目的部位に挿入可能と判定された場合に、前記全容記憶部に前記体内画像と前記生体情報の記憶を開始させる請求項３に記載の挿管システム。
【請求項５】
前記挿管装置において操作者が把持する把持部を振動させる振動部、および、前記測定部において警告音を出力する音出力部のうち少なくとも一方を有し、
前記測定部で測定される前記生体情報の値が所定の閾値に達した場合に、前記振動部および前記音出力部のうち少なくとも一方を動作させる報知制御部をさらに有する請求項１〜４のいずれか一項に記載の挿管システム。
【請求項６】
前記全容記憶部は、前記測定装置に配置され、
前記測定装置は、前記測定部で測定された前記生体情報を表示する測定用表示部を有し、前記全容記憶部に記憶された前記体内画像を対応する前記生体情報と共に前記測定用表示部に表示する請求項１〜５のいずれか一項に記載の挿管システム。
【発明の詳細な説明】
【技術分野】
【０００１】
この発明は、挿管システムに係り、特に、被検者の口から挿入された挿入部に沿って挿管用チューブを目的部位に挿入する挿管装置を有する挿管システムに関する。
【背景技術】
【０００２】
従来、気管などの目的部位への挿管は、被検者の口から挿入された喉頭鏡で喉頭展開を行い外部から目的部位を直接視認することで、目的部位に向かって挿管用チューブが挿入されていた。しかしながら、目的部位と挿管用チューブの先端部を外部から明確に視認することは困難であり、挿管用チューブを目的部位へスムーズに挿入できないおそれがあった。
【０００３】
そこで、目的部位と挿管用チューブの先端部を明確に視認する技術として、例えば、特許文献１には、挿入具を患者の気管へ挿入する際の操作性に優れた挿管支援装置が提案されている。この挿管支援装置は、挿入具の先端が位置する観察部位が撮像手段で撮像され、その撮像された画像がディスプレイ部に表示されるため、気管と挿管用チューブの先端部を画像で明確に視認することができる。
【先行技術文献】
【特許文献】
【０００４】
【特許文献１】特開２００７−１４４１２３号公報
【発明の概要】
【発明が解決しようとする課題】
【０００５】
ここで、挿管装置は、生体情報モニタ、除細動器および人工呼吸器などの測定装置で測定される被検者の生体情報を確認しつつ操作される場合がある。このときに、特許文献１の挿管支援装置は、体内画像が表示されたディスプレイ部から視線を移して測定装置の生体情報を確認する必要があり、体内画像および生体情報などの挿管に関連する複数の挿管情報を容易に把握することが困難であった。
【０００６】
この発明は、このような従来の問題点を解消するためになされたもので、複数の挿管情報を容易に把握する挿管システムを提供することを目的とする。
【課題を解決するための手段】
【０００７】
この発明に係る挿管システムは、被検者の生体情報を測定部で測定する測定装置と、被検者の口から目的部位に向かって挿入される挿入部の先端部近傍に撮像部が配置される挿管装置とを備え、挿管装置と一体及び/または別体に配置され、撮像部および測定部にそれぞれ接続されて、撮像部で撮像された体内画像と共に測定部で測定された生体情報を表示する挿管用表示部と、挿管用表示部に表示された体内画像と生体情報を対応付けて記憶する全容記憶部とをさらに有するものである。
【０００８】
ここで、挿管用表示部は、生体情報を体内画像と合成した合成画像を表示し、全容記憶部は、合成画像を記憶することができる。
【０００９】
また、撮像部で撮像された体内画像および測定部で測定された生体情報の少なくとも一方に基づいて、全容記憶部における体内画像と生体情報の記憶の開始を制御する記憶制御部をさらに有することが好ましい。
【００１０】
また、挿管装置は、予め設定された目的部位の特徴量に基づいて、撮像部で撮像された体内画像から目的部位を検出する検出部と、検出部で検出された目的部位の位置と挿入部に沿って進退可能に配置される挿管用チューブの進行方向とに基づいて、挿管用チューブを目的部位に挿入可能か否かを判定する挿管判定部とを有し、記憶制御部は、挿管判定部において挿管用チューブを目的部位に挿入可能と判定された場合に、全容記憶部に体内画像と生体情報の記憶を開始させることができる。
【００１１】
また、挿管装置において操作者が把持する把持部を振動させる振動部、および、測定部において警告音を出力する音出力部のうち少なくとも一方を有し、測定部で測定される生体情報の値が所定の閾値に達した場合に、振動部および音出力部のうち少なくとも一方を動作させる報知制御部をさらに有することが好ましい。
【００１２】
また、全容記憶部は、測定装置に配置され、測定装置は、測定部で測定された生体情報を表示する測定用表示部を有し、全容記憶部に記憶された体内画像を対応する生体情報と共に測定用表示部に表示することができる。
【発明の効果】
【００１３】
この発明によれば、挿管用表示部が撮像部で撮像された体内画像と共に測定部で測定された生体情報を表示し、全容記憶部が挿管用表示部に表示された体内画像と生体情報を対応付けて記憶するので、複数の挿管情報を容易に把握する挿管システムを提供することが可能となる。
【図面の簡単な説明】
【００１４】
【図１】この発明の実施の形態１に係る挿管システムの構成を示す図である。
【図２】挿管装置と測定装置の構成を示すブロック図である。
【図３】被検者の口から挿入部が挿入される様子を示す図である。
【図４】挿管用表示部に合成画像を表示した様子を示す図である。
【図５】目的部位がターゲットマークに重なるように挿入部が操作された様子を示す図である。
【図６】実施の形態２の挿管装置と測定装置の構成を示すブロック図である。
【図７】実施の形態３の挿管装置と測定装置の構成を示すブロック図である。
【図８】実施の形態４の挿管装置と測定装置の構成を示すブロック図である。
【発明を実施するための形態】
【００１５】
以下、この発明の実施の形態を添付図面に基づいて説明する。
実施の形態１
図１に、この発明の実施の形態１に係る挿管システムの構成を示す。この挿管システムは、挿管装置１と測定装置２を有する。
【００１６】
挿管装置１は、装置本体３を有し、この装置本体３の下部に挿入部４が着脱自在に取り付けられると共に装置本体３の上部に挿管用表示部５が設けられている。また、挿入部４の側部に沿って挿管用チューブ６が配置され、挿入部４の先端部近傍に撮像部７が配置されている。
【００１７】
装置本体３は、操作者が挿管の操作を行うもので、下半部に把持部８が形成されている。把持部８は、操作者が把持しやすいように操作者の手に収まる大きさで柱状に形成されている。
挿入部４は、被検者の口から声門に向かって挿入されるもので、長尺形状を有すると共に先端部側が湾曲するように形成されている。また、挿入部４の側部には、基端部から先端部に延びる溝部９が形成されている。溝部９は、挿管用チューブ６を進退可能に保持するもので挿管用チューブ６に応じた大きさで形成されている。
【００１８】
挿管用チューブ６は、管形状を有すると共に挿入部４の溝部９に沿って延びるように形成されている。ここで、挿管用チューブ６は、挿入部４の先端部から進退可能に溝部９に配置されており、溝部９に規制されて所定の進行方向に進行させることができる。また、挿管用チューブ６の先端部近傍には、挿管用チューブ６を声門に挿入する際に目印となる挿入マーク６ａが付されている。
撮像部７は、被検者の体内画像を撮像するもので、挿入部４の先端部近傍に前方を向く、すなわち挿入部４の延長線が延びる方向を向くように配置されている。撮像部７は、例えば、ＣＣＤイメージセンサなどから構成することができる。
【００１９】
挿管用表示部５は、撮像部７に接続されて、操作者が挿入部４および挿管用チューブ６を操作するために撮像部７で撮像された体内画像を表示するものである。挿管用表示部５は、例えば、液晶ディスプレイなどのディスプレイ装置から構成することができる。
【００２０】
一方、測定装置２は、測定用表示部１０を有し、この測定用表示部１０に測定部１１が接続されている。なお、測定装置２としては、例えば、生体情報モニタ、除細動器および人工呼吸器などが挙げられる。
【００２１】
測定部１１は、被検者の生体情報を測定するものである。生体情報としては、例えば挿管に関連する情報であり、酸素飽和度（ＳｐＯ２）および心拍数などが挙げられる。測定部１１は、例えば、被検者の指先などに光を照射する照射部と、指先を透過した透過光または指先から反射した反射光を受光する受光部とから構成することができる。照射部から照射される光は、６００ｎｍ〜１３００ｎｍの波長を有することが好ましい。例えば、照射部が波長６６０ｎｍの赤色光と波長９４０ｎｍの赤外光を照射し、指先を透過した赤色光と赤外光を受光部で受光することができる。
【００２２】
測定用表示部１０は、測定部１１で測定された被検者の生体情報を表示するものである。測定用表示部１０は、挿管用表示部５と同様に、例えば、液晶ディスプレイなどのディスプレイ装置から構成することができる。
なお、挿管装置１と測定装置２は、互いに無線により接続されている。
【００２３】
次に、挿管装置１と測定装置２の構成について詳細に説明する。
図２に示すように、挿管装置１は、撮像部７に接続された画像処理部１３を有し、この画像処理部１３に、検出部１４、表示制御部１５および挿管用表示部５が順次接続されている。また、検出部１４に特徴量格納部１６が接続されると共に表示制御部１５に無線通信部１７ａが接続されている。さらに、画像処理部１３、検出部１４、および表示制御部１５に挿管制御部１８が接続され、この挿管制御部１８に操作部１９と格納部２０がそれぞれ接続されている。
【００２４】
画像処理部１３は、撮像部７で撮像された体内画像の画像信号を処理して、挿管用表示部５に表示させる体内画像を生成するものである。
特徴量格納部１６は、メモリまたはハードディスク等によって構成され、予め撮像された声門の画像からその特徴量を抽出して格納されている。声門の特徴量としては、例えば、声帯の形状値および声帯の色度などが挙げられる。
検出部１４は、特徴量格納部１６から読み出される声門の特徴量に基づいて、撮像部７で撮像された体内画像から声門を目的部位として検出する。
【００２５】
表示制御部１５は、撮像部７で撮像された体内画像に測定装置２の測定部１１で測定された生体情報を合成した合成画像を生成し、その合成画像を表示するように挿管用表示部５を制御する。また、表示制御部１５は、挿管用チューブ６の進行方向における所定の位置にターゲットマークを合成画像に重畳して挿管用表示部５に表示させると共に、検出部１４で検出された声門の位置に部位マークを合成画像に重畳して挿管用表示部５に表示させる。ここで、挿管用チューブ６の進行方向は、挿入部４における溝部９の形成方向に基づいて予め設定、例えば溝部９の延長線上に予め設定されている。
無線通信部１７ａは、測定装置２の測定部１１で測定された生体情報を無線通信により受信すると共に、表示制御部１５で生成された合成画像を無線通信により測定装置２に送信する。
【００２６】
操作部１９は、操作者が入力操作を行うためのもので、ボタンおよびタッチパネル等から構成することができる。
格納部２０は、動作プログラム等を格納するもので、メモリ、ハードディスクおよびＳＤカード等の記憶装置を用いることができる。
【００２７】
挿管制御部１８は、操作者により操作部１９から入力された各種の操作信号等に基づいて挿管装置内の各部の制御を行うものである。
なお、画像処理部１３、検出部１４、表示制御部１５および挿管制御部１８は、ＣＰＵと、ＣＰＵに各種の処理を行わせるための動作プログラムから構成されるが、それらをデジタル回路で構成してもよい。
【００２８】
一方、測定装置２は、測定部１１に接続された生体情報算出部２１を有し、この生体情報算出部２１が表示制御部２２および測定用表示部１０に順次接続されている。また、表示制御部２２に全容記憶部２３が接続されている。また、生体情報算出部２１と全容記憶部２３に無線通信部１７ｂが接続されている。さらに、生体情報算出部２１と表示制御部２２に測定制御部２４が接続され、この測定制御部２４に操作部２５および格納部２６がそれぞれ接続されている。
【００２９】
生体情報算出部２１は、測定部１１で測定された測定値に基づいて生体情報を算出する。具体的には、血液中のヘモグロビンは酸素の結合量が多いほど赤外光を吸収することが知られており、生体情報算出部２１は、測定部１１の受光部で受光した赤色光と赤外光の強度差に基づいて酸素飽和度を算出する。また、生体情報算出部２１は、脈拍に応じた赤色光と赤外光の強度の変動に基づいて心拍数を算出する。
無線通信部１７ｂは、挿管装置１の無線通信部１７ａとの間で無線通信して、生体情報算出部２１で算出された生体情報を表示制御部１５に送信すると共に、表示制御部１５で生成された合成画像を受信して全容記憶部２３に出力する。
【００３０】
全容記憶部２３は、メモリまたはハードディスク等によって構成され、表示制御部１５で生成された合成画像を順次記憶する。
表示制御部２２は、生体情報算出部２１で算出された生体情報を表示するように測定用表示部１０を制御するものである。また、表示制御部２２は、全容記憶部２３に記憶された合成画像を表示するように測定用表示部１０を制御する。
【００３１】
操作部２５は、操作者が入力操作を行うためのもので、ボタンおよびタッチパネル等から構成することができる。
格納部２６は、動作プログラム等を格納するもので、メモリ、ハードディスクおよびＳＤカード等の記憶装置を用いることができる。
【００３２】
測定制御部２４は、操作者により操作部２５から入力された各種の操作信号等に基づいて挿管装置内の各部の制御を行うものである。
なお、生体情報算出部２１、表示制御部２２および測定制御部２４は、ＣＰＵと、ＣＰＵに各種の処理を行わせるための動作プログラムから構成されるが、それらをデジタル回路で構成してもよい。
【００３３】
次に、この実施の形態の動作について説明する。
まず、図１に示す挿管装置１および測定装置２において、図示しない電源部がそれぞれＯＮされて挿管装置１および測定装置２の各部が起動される。続いて、操作者は、測定装置２の測定部１１を被検者の指先に装着して、測定部１１の照射部から波長６６０ｎｍの赤色光と波長９４０ｎｍの赤外光を照射すると共に指先を透過した赤色光と赤外光を受光部で受光する。測定部１１の受光部で受光した測定信号は、図２に示すように、測定部１１から生体情報算出部２１に出力される。
【００３４】
測定部１１で測定された測定信号が生体情報算出部２１に入力されると、生体情報算出部２１は、測定信号に基づいて生体情報を算出する。具体的には、生体情報算出部２１は、測定部１１で受光された赤色光と赤外光の強度差および強度の変動に基づいて、酸素飽和度と心拍数を生体情報として算出する。算出された酸素飽和度と心拍数は、生体情報算出部２１から表示制御部２２と無線通信部１７ｂにそれぞれ出力される。
【００３５】
生体情報算出部２１で算出された酸素飽和度と心拍数が無線通信部１７ｂに入力されると、無線通信部１７ｂは、挿管装置１の無線通信部１７ａを介して表示制御部１５に酸素飽和度と心拍数を出力する。
一方、生体情報算出部２１で算出された酸素飽和度と心拍数が表示制御部２２に入力されると、表示制御部２２は、酸素飽和度と心拍数を測定用表示部１０に表示させる。
【００３６】
このようにして、測定用表示部１０に酸素飽和度と心拍数が表示されることにより、挿管装置１を操作する操作者が被検者の状態を把握し、図３に示すように、挿入部４を被検者Ｓの口から声門Ｇ１に向かって挿入させる。このとき、挿入部４の先端部近傍に配置された撮像部７により体内画像が撮像されており、その体内画像の画像信号が撮像部７から画像処理部１３に順次出力される。画像処理部１３は、体内画像の画像信号に基づいて挿管用表示部５に表示させる体内画像を生成し、生成された体内画像を検出部１４に出力する。
【００３７】
画像処理部１３で生成された体内画像が検出部１４に入力されると、検出部１４は、声門Ｇ１の特徴量に基づいて体内画像に含まれる声門Ｇ１を検出する。具体的には、検出部１４は、特徴量格納部１６に格納された声門Ｇ１の特徴量に基づいて体内画像に含まれる声門Ｇ１を探索する。声門Ｇ１の特徴量としては、例えば、声門Ｇ１を構成する声帯の形状値および声帯の色度などが挙げられる。声帯は、一般的に、ひだ状に湾曲して延びる形状で且つ白色に近い色を有するなど、特徴的な形状値および色度を有している。このため、声帯の形状値および色度に基づいて体内画像を探索することで体内画像に含まれる声門Ｇ１を確実に検出することができる。
【００３８】
なお、特徴量格納部１６は、声門Ｇ１の特徴量に加えて、声門Ｇ１の周辺部位の特徴量、例えば喉頭蓋や披裂軟骨などの特徴量を格納することが好ましい。これにより、検出部１４は、特徴量格納部１６に格納されている声門Ｇ１の特徴量及び声門Ｇ１の周辺部位の特徴量に基づいて体内画像を探索し、声門Ｇ１との類似度および声門Ｇ１の周辺部位との関連度に基づいて体内画像に含まれる声門Ｇ１を高精度に検出することができる。
【００３９】
また、特徴量格納部１６は、挿管装置で測定中の被検者Ｓからリアルタイムに取得された声門Ｇ１の特徴量、過去の測定時において取得された声門Ｇ１の特徴量、他の被検者から過去の測定時に取得された声門Ｇ１の特徴量、またはそれらの声門Ｇ１を収集して算出された特徴量を格納することができる。なお、声門Ｇ１の特徴量は、挿管装置で測定されたものに限られず、外部の医療機器装置などで収集されたものを利用してもよい。
【００４０】
なお、特徴量格納部１６は、様々な形態の声門Ｇ１の特徴量を格納することが好ましい。例えば、病気により変形した声門Ｇ１の特徴量、血液および吐物などの遮蔽物が付着した声門Ｇ１の特徴量などを格納することができる。これにより、検出部１４は、体内画像に含まれる声門Ｇ１が稀な形態を有する場合であっても、その声門Ｇ１を確実に検出することができる。
声門Ｇ１の検出結果は、撮像部７で撮像された体内画像と共に検出部１４から表示制御部１５に出力される。
【００４１】
このようにして、表示制御部１５には、検出部１４から体内画像と声門Ｇ１の検出結果が入力され、測定装置２の生体情報算出部２１から酸素飽和度と心拍数が入力される。そして、表示制御部１５は、酸素飽和度と心拍数を体内画像に合成した合成画像を生成し、生成された合成画像を挿管用表示部５に表示させる。
【００４２】
例えば、表示制御部１５は、図４に示すように、体内画像に並べて酸素飽和度と心拍数を表示した合成画像Ｒを挿管用表示部５に表示させることができる。
また、表示制御部１５は、予め設定された挿管用チューブ６の進行方向に対応する位置にターゲットマークＭ１を合成画像Ｒに重畳して表示させる。さらに、表示制御部１５は、検出部１４において声門Ｇ１が検出された場合に、検出部１４で検出された声門Ｇ１の位置に部位マークＭ２を合成画像Ｒに重畳して表示させる。
【００４３】
このように、生体情報を体内画像に合成した合成画像Ｒを挿管用表示部５に表示させることで、操作者は、挿管用表示部５から視線を移すことなく、挿管に関連する複数の挿管情報を容易に把握することができる。このため、操作者は、酸素飽和度と心拍数を把握しつつ体内画像を視認して挿入部４を声門Ｇ１に向かって安全に挿入することができる。これにより、例えば、酸素飽和度と心拍数が低下した場合には、挿管装置１を被検者から取り外して蘇生バッグなどで呼吸を安定させるなど、被検者の状態の変化に速やかに対応することができる。
また、従来のように、挿管用表示部５に体内画像のみを表示した場合には、操作者は、体内画像を注視して挿入部４を操作するため、測定装置２などから音だけで酸素飽和度と心拍数が低下したことを報知しても気付かないおそれがある。そこで、挿管用表示部５に体内画像と共に生体情報を表示させることで、操作者は生体情報を確実に把握することができ、挿入部４の操作を適切に行うことができる。
【００４４】
なお、表示制御部１５は、生体情報と共にターゲットマークＭ１と部位マークＭ２を体内画像に合成した合成画像Ｒを生成することもできる。
このようにして、表示制御部１５で生成された合成画像Ｒは、無線通信部１７ａおよび１７ｂを介して、測定装置２の全容記憶部２３に出力されて、全容記憶部２３に順次記憶される。
【００４５】
続いて、操作者は、図５に示すように、声門Ｇ１とターゲットマークＭ１が重なるように挿入部４を操作する。これにより、声門Ｇ１が挿管用チューブ６の進行方向に位置し、操作者が挿管用チューブ６を声門Ｇ１に挿入可能と判断すると、挿管用チューブ６を前方に進行させて挿管用チューブ６の先端部が声門Ｇ１に挿入される。そして、操作者は、挿管用チューブ６の側面に付された挿入マーク６ａを指標に挿管用チューブ６の挿入量を調節することにより、挿管用チューブ６を適切な位置まで挿入する。
【００４６】
このようにして、挿管用チューブ６の先端部を被検者Ｓの声門Ｇ１に挿入して気管への挿管が完了する。その後、操作者が過去の挿管の様子を確認したい場合には、測定装置２の操作部２５を操作して、全容記憶部２３に記憶された合成画像Ｒを表示制御部２２により測定用表示部１０に表示させる。これにより、操作者は、挿管の体内画像と共にそれに対応する酸素飽和度と心拍数を容易に確認することができ、例えば酸素飽和度と心拍数に対する挿入部４の操作の可否を適切に判断することができる。
【００４７】
本実施の形態によれば、挿管用表示部５が生体情報を体内画像と合成した合成画像Ｒを表示し、全容記憶部２３が挿管用表示部５で表示された合成画像Ｒを記憶するため、操作者が挿管中および挿管後において生体画像および生体情報からなる複数の挿管情報を容易に把握することができる。
【００４８】
実施の形態２
上記の実施の形態１では、全容記憶部２３は、挿管用表示部５に表示された合成画像を記憶したが、体内画像と生体情報を対応付けて記憶することができればよく、合成画像に限られるものではない。
例えば、図６に示すように、実施の形態１の表示制御部１５に換えて表示制御部２７を配置すると共に、無線通信部１７ｂと全容記憶部２３の間に記憶制御部２８を新たに配置することができる。
【００４９】
表示制御部２７は、撮像部７で撮像された体内画像に測定装置２の測定部１１で測定された生体情報を重畳して挿管用表示部５に表示させる。
記憶制御部２８は、無線通信部１７ｂ、表示制御部２２および全容記憶部２３にそれぞれ接続されている。記憶制御部２８は、挿管用表示部５に表示された体内画像と生体情報を対応付けて全容記憶部２３に順次記憶させる。
【００５０】
このような構成により、実施の形態１と同様に、表示制御部２７には、撮像部７で撮像された体内画像が入力されると共に測定装置２の生体情報算出部２１から生体情報が入力される。続いて、表示制御部２７は、生体情報を体内画像に重畳して挿管用表示部５に表示させ、その表示された体内画像を対応する生体情報と共に無線通信部１７ａおよび１７ｂを介して記憶制御部２８に出力する。
【００５１】
体内画像と生体情報が記憶制御部２８に入力されると、記憶制御部２８は、体内画像と生体情報を対応付けて全容記憶部２３に順次記憶する。そして、操作者が過去の挿管の様子を確認したい場合には、測定装置２の操作部２５が操作され、記憶制御部２８が全容記憶部２３から互いに対応する体内画像と生体情報を順次読み出して、表示制御部２２により測定用表示部１０に表示される。
なお、記憶制御部２８は、生体情報と共にターゲットマークＭ１と部位マークＭ２を体内画像に対応付けて全容記憶部２３に記憶させることもできる。
【００５２】
本実施の形態によれば、記憶制御部２８が、挿管用表示部５に表示された体内画像と生体情報を対応付けて全容記憶部２３に記憶させるため、体内画像に対して生体情報の表示状態を自由に変更することができる。
【００５３】
実施の形態３
上記の実施の形態１および２において、挿管システムは、体内画像および生体情報の少なくとも一方に基づいて全容記憶部２３における体内画像と生体情報の記憶の開始および停止を制御する記憶制御部を有することが好ましい。
例えば、図７に示すように、実施の形態１の検出部１４と表示制御部１５の間に挿管判定部３１が新たに配置されると共に、無線通信部１７ｂと全容記憶部２３の間に記憶制御部３２を新たに配置することができる。
【００５４】
挿管判定部３１は、検出部１４で検出された声門Ｇ１の位置と挿管用チューブ６の進行方向とに基づいて、挿管用チューブ６を声門Ｇ１に挿入可能か否かを判定する。すなわち、挿管判定部３１は、検出部１４で検出された声門Ｇ１の位置が挿管用チューブ６の進行方向に存在するか否かを判定する。ここで、挿管用チューブ６の進行方向は、例えば、挿入部４における溝部９の形成方向に基づいて設定することができる。
記憶制御部３２は、無線通信部１７ｂ、表示制御部２２および全容記憶部２３にそれぞれ接続されている。記憶制御部３２は、挿管判定部３１において挿管用チューブ６を声門Ｇ１に挿入可能と判定された場合に、全容記憶部２３に体内画像と生体情報の記憶を開始させる。
【００５５】
このような構成により、実施の形態１と同様に、検出部１４が声門Ｇ１の特徴量に基づいて体内画像に含まれる声門Ｇ１を検出する。検出された声門Ｇ１の位置が検出部１４から挿管判定部３１に入力されると、挿管判定部３１は、声門Ｇ１の位置と、挿管用チューブ６の進行方向、すなわちターゲットマークＭ１の位置とに基づいて、挿管用チューブ６が声門Ｇ１に挿入可能か否かを判定する。
【００５６】
例えば、図４に示すように、声門Ｇ１の位置とターゲットマークＭ１の位置が異なる場合には、挿管判定部３１は、挿管用チューブ６が声門Ｇ１に挿入不可能と判定する。一方、図５に示すように、声門Ｇ１の位置とターゲットマークＭ１の位置が一致する場合には、挿管判定部３１は、挿管用チューブ６が声門Ｇ１に挿入可能と判定する。挿管判定部３１は、判定結果を体内画像と共に表示制御部１５に出力する。
【００５７】
表示制御部１５は、生体情報を体内画像に合成した合成画像Ｒを挿管用表示部５に表示させると、その合成画像Ｒと共に挿管判定部３１の判定結果を無線通信部１７ａおよび１７ｂを介して記憶制御部３２に出力する。
記憶制御部３２は、挿管判定部３１において挿管用チューブ６を声門Ｇ１に挿入可能と判定されるまでは合成画像Ｒを全容記憶部２３に記憶せず、挿管判定部３１において挿管用チューブ６を声門Ｇ１に挿入可能と判定された場合に、全容記憶部２３における合成画像Ｒの記憶を開始させる。なお、挿管判定部３１は、声門Ｇ１への挿管用チューブ６の挿入が完了した時点、例えば、挿管装置１の電源部がＯＦＦされた時点、体内画像において挿管用チューブ６に付された挿入マーク６ａが検出された時点などで全容記憶部２３における合成画像Ｒの記憶を停止することができる。
【００５８】
これにより、被検者Ｓの口から挿入部４を挿入して声門Ｇ１を探すまでの間の合成画像Ｒは全容記憶部２３に記憶されず、挿管用チューブ６の挿入開始から挿入完了までの間の合成画像Ｒのみが全容記憶部２３に記憶される。このため、操作者が挿管用チューブ６を声門Ｇ１に挿入する様子を確認したい場合に、所望の合成画像Ｒを容易に確認することができる。
なお、記憶制御部３２は、挿管判定部３１において挿管用チューブ６を声門Ｇ１に挿入可能と判定された場合に記憶を開始するものに限られるものではなく、例えば、検出部１４において声門Ｇ１が検出された場合、生体情報の値が所定の閾値に達した場合などに合成画像Ｒの記憶を開始することもできる。
【００５９】
本実施の形態によれば、記憶制御部３２が挿管判定部３１において挿管用チューブ６を声門Ｇ１に挿入可能と判定された場合に全容記憶部２３に体内画像と生体情報の記憶を開始させるため、所望の合成画像Ｒを容易に確認することができる。
【００６０】
実施の形態４
上記の実施の形態１〜３において、挿管システムは、測定部１１で測定される生体情報の値が所定の閾値に達した場合に生体情報の変化を報知する報知部を有することが好ましい。
例えば、図８に示すように、実施の形態１において無線通信部１７ａに振動部４１を接続すると共に、生体情報算出部２１に報知制御部４２および音出力部４３を順次接続し、さらに報知制御部４２を無線通信部１７ｂに接続することができる。
【００６１】
振動部４１は、挿管装置１に配置され、把持部８を振動させて操作者に酸素飽和度と心拍数の低下を報知するものである。振動部４１は、例えばバイブレータなどから構成することができる。
音出力部４３は、測定装置２に配置され、警告音を出力して操作者に酸素飽和度と心拍数の低下を報知するものである。音出力部４３は、例えばスピーカーなどから構成することができる。
報知制御部４２は、測定部１１で測定される酸素飽和度と心拍数が低下して所定の閾値に達した場合に、振動部４１を振動させると共に音出力部４３から警告音を出力させる。
【００６２】
このような構成により、報知制御部４２が、生体情報算出部２１で算出される酸素飽和度と心拍数が低下して所定の閾値に達した場合に、音出力部４３から警告音を出力させると共に無線通信部１７ａおよび１７ｂを介して振動部４１を振動させる。このように、挿管用表示部５への生体情報の表示に加えて振動と警告音が出力されるため、操作者は被検者の状態の変化をより確実に把握することができる。
【００６３】
本実施の形態によれば、報知制御部４２が、測定部１１で測定される生体情報の値が所定の閾値に達した場合に振動部４１を振動させると共に音出力部４３から警告音を出力するため、操作者に被検者の状態の変化をより確実に報知することができる。
【００６４】
なお、上記の実施の形態１〜４では、挿管装置１は、１つの測定装置に接続されたが、複数の測定装置に接続してそれぞれの測定装置から出力される複数の生体情報を挿管用表示部５に表示することもできる。
また、上記の実施の形態１〜４では、全容記憶部２３は、測定装置２に配置されたが、体内画像と生体情報を対応付けて記憶することができればよく、測定装置２に限られるものではない。例えば、挿管装置１に配置してもよく、挿管装置１および測定装置２とは別の表示装置に配置することもできる。
【００６５】
また、上記の実施の形態１〜４では、全容記憶部２３は、体内画像と生体情報を対応付けて記憶したが、さらにその他の挿管情報を体内画像と対応付けて記憶することもできる。例えば、マイクロフォンなどの音入力部を配置し、音入力部から入力される周囲の音を生体情報と共に体内画像と対応付けて全容記憶部２３に記憶させることができる。
【００６６】
また、上記の実施の形態１〜４では、挿管装置１の表示制御部は、生体情報を体内画像に重畳するように挿管用表示部５に表示させたが、生体情報を体内画像と共に挿管用表示部５に表示させることができればよく、これに限られるものではない。例えば、生体情報を体内画像と間隔を空けて表示してもよい。
また、上記の実施の形態１〜４では、挿管用表示部５は、装置本体３に一体に設けられたが、撮像部７で撮像された体内画像を表示できればよく、装置本体３と別体に配置することもできる。
【００６７】
また、上記の実施の形態１〜４では、挿管用表示部５に表示された体内画像と生体情報は、１つの全容記憶部２３に記憶されたが、対応付けて記憶されていればよく、複数の全容記憶部に別けて記憶することもできる。例えば、２つの全容記憶部を配置して、一方の全容記憶部に体内画像を記憶すると共に他方の全容記憶部に体内画像と対応付けられた生体情報を記憶することができる。このとき、体内画像と生体情報は、例えば挿管用表示部５に表示された時間により対応付けて記憶することができる。
【符号の説明】
【００６８】
１  挿管装置、２  測定装置、３  装置本体、４  挿入部、５  挿管用表示部、６  挿管用チューブ、６ａ  挿入マーク、７  撮像部、８  把持部、９  溝部、１０  測定用表示部、１１  測定部、１３  画像処理部、１４  検出部、１５，２７  表示制御部、１６  特徴量格納部、１７ａ，１７ｂ  無線通信部、１８  挿管制御部、１９  操作部、２０  格納部、２１  生体情報算出部、２２  表示制御部、２３  全容記憶部、２４  測定制御部、２５  操作部、２６  格納部、２８，３２  記憶制御部、３１  挿管判定部、４１  振動部、４２  報知制御部、４３  音出力部、Ｍ１  ターゲットマーク、Ｍ２  部位マーク、Ｓ  被検者、Ｇ１  声門、Ｒ  合成画像。
【図１】
2019170667.tif 000003
【図２】
2019170667.tif 000004
【図３】
2019170667.tif 000005
【図４】
2019170667.tif 000006
【図５】
2019170667.tif 000007
【図６】
2019170667.tif 000008
【図７】
2019170667.tif 000009
【図８】
2019170667.tif 000010